(57)【特許請求の範囲】
【請求項１】
裏面に遊技盤を収納する遊技盤収納部が形成されると共に該遊技盤収納部の周縁の適宜箇所に前記遊技盤の裏面を押圧する固定レバーを回転自在に軸支するレバー軸が設けられる枠基体を備えた弾球遊技機において、
前記レバー軸には、一端に該レバー軸から外側に突出するように板状の係合端片を形成する一方、他端側に前記固定レバーを前記一端方向に向けて付勢する弾性部材を介装し、
前記枠基体には、前記係合端片を含むレバー軸を貫通支持する固定レバー取付用穴を形成すると共に、前記取付用穴の表面側の周縁に前記係合端片が係合する係合凹部を形成し、
前記固定レバー及び前記弾性部材を予め組み付けた前記レバー軸の一端を、前記枠基体の裏面側から前記取付用穴に貫通させて前記弾性部材の付勢力に抗した状態で回転させ、前記弾性部材の付勢力に抗した状態を解除することにより前記係合端片を前記取付用穴の前記係合凹部に押圧させて係合可能としたことを特徴とする弾球遊技機。
【請求項２】
前記係合凹部は、高低差のある一対の突起で挟まれる位置に形成され、
前記レバー軸は、前記一端側を前記弾性部材の付勢力に抗した状態で前記取付用穴に挿通させたとき、前記係合端片が低い方の突起よりも突出し且つ高い方の突起より突出しない位置まで挿入可能であり、当該位置では一方向にしか回転できない状態となり、当該状態で前記レバー軸を回転できる方向に停止するまで回転して前記弾性部材の付勢力に抗した状態を解除することにより、前記係合端片が前記係合凹部に押圧させて係合可能としたことを特徴とする請求項１記載の弾球遊技機。
【発明の詳細な説明】
【０００１】
【発明の属する技術分野】
本発明は、裏面に遊技盤を収納する遊技盤収納部が形成されると共に該遊技盤収納部の周縁の適宜箇所に前記遊技盤の裏面を押圧する固定レバーを回転自在に軸支するレバー軸が設けられる枠基体を備えた弾球遊技機に関するものである。
【０００２】
【従来の技術】
従来、弾球遊技機においては、前面枠の裏面に遊技盤を収納する遊技盤収納部が形成される合成樹脂製の遊技盤収納枠部材が取り付けられており、その遊技盤収納枠部材には、遊技盤収納部の周縁の適宜箇所に遊技盤の裏面を押圧する固定レバーを回転自在に軸支するレバー軸が設けられている。そして、そのレバー軸は、遊技盤収納枠部材の成型時にインサート成型されて植立されていた。
【０００３】
【発明が解決しようとする課題】
このため、成型時の不具合により、レバー軸が正確な状態で植立されないという欠点があると共に、遊技盤収納枠部材の成型に手間がかかるという欠点があった。本発明は、上記した事情に鑑みなされたもので、その目的とするところは、遊技盤を固定するための固定レバーを軸支するレバー軸を正確な状態で設けることができると共に、レバー軸の装着を簡単に行うことができる弾球遊技機を提供することにある。
【０００４】
【課題を解決するための手段】
上記した目的を達成するために、本発明においては、レバー軸には、一端に該レバー軸から外側に突出するように板状の係合端片を形成する一方、他端側に固定レバーを一端方向に向けて付勢する弾性部材を介装し、枠基体には、係合端片を含むレバー軸を貫通支持する固定レバー取付用穴を形成すると共に、取付用穴の表面側の周縁に係合端片が係合する係合凹部を形成し、固定レバー及び弾性部材を予め組み付けたレバー軸の一端を、枠基体の裏面側から取付用穴に貫通させて弾性部材の付勢力に抗した状態で回転させ、弾性部材の付勢力に抗した状態を解除することにより係合端片を取付用穴の係合凹部に押圧させて係合可能としたことを特徴とするものである。このように構成することにより、レバー軸が設けられる枠基体には、固定レバー取付用穴を形成するだけでよいため、成型時に手間がかかることがなく、一方、レバー軸を枠基体に装着するには、予め固定レバーが装着されたレバー軸を固定レバー取付用穴に貫通させて回転せしめて係合端片を係合凹部に係合させるだけの簡単な作業で正確に取り付けることができる。
【０００５】
【発明の実施の形態】
（１）弾球遊技機全体の概略構成
以下、図面を参照して、本発明の実施形態について説明する。まず、弾球遊技機１全体の概略構成について図１乃至図４を参照して説明する。図１は、弾球遊技機１の正面図であり、図２は、枠基体３及び透明板保持枠４を開放した状態の弾球遊技機の斜視図であり、図３は、枠基体３の前面側に取り付けられる各種の構成要素を分離して示す斜視図であり、図４は、枠基体３の裏面側の構成を示す背面図である。本実施形態における弾球遊技機１としては、弾発された打玉が遊技盤５に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（俗にアレンジ遊技機と称される）であってもよい。
【０００６】
しかして、弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられ且つ遊技盤５の前方を覆う透明板（一般的にガラス板が多いが、透明な合成樹脂でも良い）としてのセットガラス板６を保持する透明板保持枠４と、枠基体３の前面下部に開閉自在に設けられる上皿７と、該上皿７の下方の枠基体３の前面に取り付けられる灰皿１６２を含む下皿８、及び操作ハンドルセット９と、外枠２と枠基体３との施錠及び枠基体３と透明板保持枠４との施錠を司る施錠装置１０と、前記操作ハンドルセット９に対応して設けられ且つ遊技盤５に向かって打玉を弾発する発射装置１１と、弾球遊技機１の裏面に設けられ且つ遊技盤５で発生した入賞玉を処理して所定数の賞球を払い出すための各種の機構が形成される機構板１２と、から構成されている。また、図示の場合には、弾球遊技機１に隣接するようにカードユニット１３が設けられている。
【０００７】
上記した弾球遊技機１の各構成のうち、本発明の要旨に直接関係しない機構板１２の構成について簡単に説明すると共に、その機構板１２に設けられる各種の回路基板の関係についても簡単に説明する。図４において、機構板１２には、多量の賞球を貯留する賞球タンク２０がその上部に設けられ、該賞球タンク２０に貯留された賞球を整列して賞球払出装置２２に誘導する賞球誘導レール２１が傾斜状に設けられている。この賞球誘導レール２１の上流端には、賞球タンク２０に貯留される賞球の残量が少なくなったことを検出する玉切れ情報検出スイッチ２３が設けられ、この玉切れ情報検出スイッチ２３がＯＮしたときには、遊技場の管理コンピュータにその旨を伝達報知すると共に、透明板保持枠４に設けられる後述するＬＥＤ基板３３２に設けられるＬＥＤを点灯せしめて遊技者にその旨を報知するようにしている。賞球払出装置２２から払い出された賞球は、賞球通路を介して前記上皿７や下皿８に払い出されるようになっている。
【０００８】
一方、機構板１２には、外部と弾球遊技機１との間で信号をやり取りしたり或は外部からの電源線が接続されるターミナルボックス基板２４、遊技動作を制御するメイン基板２５、賞球払出装置２２の動作を制御する賞球玉貸制御基板２７、カードユニット１３と弾球遊技機１に設けられる各種の電気部品との配線を中継するカードユニット中継基板２８、主として透明板保持枠４に設けられる装飾部材としてのランプやＬＥＤ及びスピーカの動作を制御する電飾基板２９とが装着されている。ただし、メイン基板２５と遊技盤５に設けられる遊技装置のうちの一部の遊技装置とを接続する配線は、中継基板２６を介して接続されており、電飾基板２９は、機構板１２ではなく、枠基体３の下部裏面に取り付けられている。また、電飾基板２９の隣接する位置の枠基体３には、発射装置モータ３１によって間欠駆動される打球杆等が集約して設けられる発射装置１１が取り付けられており、その発射装置モータ３１の裏面にタッチ制御回路基板３２が取り付けられている。
【０００９】
ところで、上記した各基板の関係は、図５乃至図７に示されるようになっている。図５は、ターミナルボックス基板２４と電飾基板２９の各配線状態の概略を示す概略回路図であり、図６は、メイン基板２５の賞球関係の配線を示した概略回路図であり、図７は、賞球玉貸制御基板２７とタッチ制御回路基板３２の各配線状態の概略を示す概略回路図である。
【００１０】
図において、ターミナルボックス基板２４には、外部から電源線が接続され、該電源線によって入力された電源がヒューズを介してメイン基板２５や電飾基板２９や賞球玉貸制御基板２７にも分配されている。ただし、メイン基板２５の電源線には、主基板用電源スイッチが介装されており、該スイッチをＯＮ・ＯＦＦすることにより、電源の供給を停止したり導出したりしている。また、ターミナルボックス基板２４には、玉切れ情報端子、発射装置制御端子、玉貸情報端子、及び賞球情報端子が設けられると共に、前記玉切れ情報検出スイッチ２３が接続されており、該検出スイッチ２３の検出信号を球切れ情報端子から外部（管理コンピュータ）に導出するようになっている。また、外部（管理コンピュータ）からの発射装置制御端子に入力された信号（発射停止信号）を賞球玉貸制御基板２７を介してタッチ制御回路基板３２に送り、発射装置モータ３１の駆動を停止して打玉の弾発動作を停止する。更に、賞球玉貸制御基板２７から導出される玉貸情報信号及び賞球情報信号を球貸情報端子及び賞球情報端子から外部（管理コンピュータ）に伝送する。
【００１１】
電飾基板２９は、上記ターミナルボックス基板２４から電源が入力されると共に、メイン基板２５から音声情報制御信号及び表示器駆動制御信号が入力され、更に、賞球玉貸制御基板２７から球切れ信号及び賞球払出信号が入力されている。メイン基板２５からの音声情報制御信号の種類に基づいて電飾基板２９内に設けられる動作プログラムに従って一対のスピーカ３１６を出力制御する。また、メイン基板２５からの表示器駆動制御信号の種類に基づいて電飾基板２９内に設けられる動作プログラムに従ってＬＥＤ基板３２４に設けられるＬＥＤやランプ基板３２６〜３２８に設けられるランプを駆動制御する。更に、賞球玉貸制御基板２７からの球切れ信号に基づいてＬＥＤ基板３３２に設けられるＬＥＤを点灯制御し、賞球払出信号に基づいてＬＥＤ基板３３４に設けられるＬＥＤを点灯制御する。なお、電飾基板２９には、枠基体３に設けられる検出器１３１（ドアスイッチと言われる）も接続されており、不正に透明板保持枠４が開放されたときに、所定の動作プログラムに従ってスピーカ３１６やＬＥＤ、ランプ等を駆動制御する。
【００１２】
メイン基板２５は、遊技盤５に設けられる遊技装置のうちの入力装置からの入力信号を受けて遊技装置のうちの出力装置に駆動信号を送って動作を制御するものである（この点については図示省略）と同時に、メイン基板２５から賞球玉貸制御基板２７に入賞の種類に応じて排出される賞球数情報を伝送し、電飾基板２９に遊技状態に応じた音声情報信号を出力する。更に、メイン基板２５から中継基板２６を介して電飾基板２９に遊技状態に応じた表示器駆動制御信号を伝送し、外部（管理コンピュータ等）に大当り情報、図柄が変動して確定した回数情報、及び確率変動情報（遊技盤に設けられる可変表示装置が大当りとなる確率が変動する遊技内容を有するものに限られる）が導出される。
【００１３】
賞球玉貸制御基板２７には、前記ターミナルボックス基板２４から電源が入力されると共に、前記発射装置制御端子からの発射制御リレー信号、及びメイン基板２５からの賞球数情報が入力され、一方、タッチ制御回路基板３２の電源部に入力される電源供給信号（ただし、発射制御リレー信号が入力されたときには停止される）が出力されると共に、ターミナルボックス基板２４の玉貸情報端子及び賞球情報端子に球貸情報及び賞球情報を出力し、更に、電飾基板２９に球切れ信号及び賞球払出信号を出力している。
【００１４】
タッチ制御回路基板３２には、前記操作ハンドルセット９に設けられる発射装置スイッチ３４及びタッチ板３３が接続され、また、発射装置１１の発射装置モータ３１が接続されている。しかして、通常の遊技状態において、遊技者が操作ハンドルセット９を操作して発射装置スイッチ３４をＯＮせしめると共にタッチ板３３に接触することにより、タッチ回路が作動して発射装置モータ３１が回転駆動せしめられて打玉を弾発することができる。一方、外部（管理コンピュータ）から発射装置制御端子に信号が入力されたときには、賞球玉貸制御基板２７からの電源供給信号が停止されるので、発射装置モータ３１の駆動が停止されて打玉の弾発動作が停止されるようコントロール部で制御する。なお、タッチ板からの信号がオフになるとリセット信号をコントロール部に送るリセット部があり、暴走など回路異常になってもリセットされる。
【００１５】
なお、賞球玉貸制御基板２７及び上皿７に設けられる後述する自動玉貸選択スイッチ２５７、玉貸スイッチ２５８、返却スイッチ２５９、残高表示器２６０とカードユニット１３内の制御基板とは、カードユニット中継基板２８を介して接続されるが、これらの関係については、後に詳述する。
【００１６】
以上、弾球遊技機１の背面に設けられる機構板１２の構成及び機構板１２に装着される各種の基板の関係について説明してきたが、その機構板１２は、枠基体３に対して開閉自在に軸支されると共に、閉成時に機構板１２を係止しておくための構成である係止部材３５が機構板１２の適宜箇所に設けられ、その係止部材３５と係合するための止着部材３６が枠基体３に取り付けられている。以下、機構板１２以外の弾球遊技機１を構成する前記構成について、各構成毎に分けて説明する。
（２）外枠
外枠２は、木製の板材を枠組み構成することにより形成され、その一側上下に固着される軸支用金具１４ａ，１４ｂに枠基体３が開閉自在に軸支される。なお、下部の軸支用金具１４ｂは、次に説明する当て板１８の上部に固着される。また、外枠２の下部前面には、閉じたときに枠基体３の下辺部を載置する当て板１８が固定されている。この当て板１８は、図３に示すように、その中央部に前方突出面１８ａが形成されており、左右の各凹面１８ｂ，１８ｃには、それぞれカバー部材１９がビス止め固定されるようになっている。この固定は、カバー部材１９の裏面に突設される取付ボス１９ａを当て板１８の凹面１８ｂ，１８ｃに穿設される取付穴１９ｂに貫入して裏面からビス１９ｃを螺着することにより行われるので、カバー部材１９の脱着を極めて容易に行うことができ、異なる色彩のカバー部材１９を装着することにより、容易に印象の異なるものとすることができる。更に、外枠２の開放側の内側上下には、前記施錠装置１０（その構成については後に詳述する）と係脱して枠基体３を閉じたり開放したりするための係止金具１７ａ，１７ｂが固着されている。この係止金具１７ａ，１７ｂと施錠装置１０との関係については、後に詳述する。なお、当て板１８を含む外枠２を木製の板材ではなく、合成樹脂によって一体成形又は別体に成形して組み立てて構成しても良い。
（３）枠基体
枠基体３は、後に詳述するように合成樹脂によって一体成形されるものであるが、長方形状の開口部４０を有するように額縁状に成形され、該開口部４０の開口周縁に沿った形状で裏面側に一体的に成形される遊技盤収納部４１に遊技盤５が着脱自在に装着固定し得るようになっている。また、枠基体３の下方部は、板状に形成され、その板状部に灰皿１６２を含む下皿８、操作ハンドルセット９が取り付けられている。これらの取付態様については、後に説明する。更に、枠基体３の前面上部に開閉自在に設けられる透明板保持枠４も主要部品は、合成樹脂によって成形され、同様に枠基体３の前面下部に開閉自在に設けられる上皿７もほとんど合成樹脂によって成形されている。
【００１７】
そこで、枠基体３の詳細な構成について図８乃至図１２を参照して説明する。図８は、枠基体３の正面から見た斜視図であり、図９は、枠基体３の正面図であり、図１０は、枠基体３の裏面から見た斜視図であり、図１１は、枠基体３の背面図であり、図１２は、枠基体３に一部の部品を装着した状態の背面図である。図において、枠基体３は、合成樹脂によって一体成形されるものであり、その上部にほぼ長方形状の開口部４０が形成され、その下部が板状となっている。つまり、枠基体３は、従来の合板によって形成された前面枠とほぼ同等のものであるが、従来の前面枠と相違する点は、枠基体３の裏面であって遊技盤５を収納固定する遊技盤収納部４１が枠基体３と一体的に形成されている点である。即ち、従来の前面枠と遊技盤収納部との関係においては、木製の前面枠の裏面に合成樹脂製の遊技盤収納部を固着しているのに対し、本実施形態における枠基体３は、前面枠に相当する部分も合成樹脂で形成されているので、遊技盤収納部４１を含む全体を合成樹脂によって一体成形したものであり、これによって工場における組み付け作業の簡略化を達成することができるものである。
【００１８】
ところで、上記遊技盤収納部４１の下方部分も板状の支持板部４２として形成されており、その支持板部４２の一側上部に上皿連通口４３が形成され、該上皿連通口４３の下部前方に溢れ玉誘導樋１７７（図３参照）が取着される。上皿連通口４３の前端面の上部及び側部に沿って立壁４４が立設され、該立壁４４の上端から前方に向かって基部防犯水平リブ４７及び防犯水平リブ４５が延設される。この立壁４４及び防犯水平リブ４５，基部防犯水平リブ４７によって形成される空間には、上皿７の後述する上皿取付板１９０を閉じた状態で上皿取付板１９０の賞球排出口１９４（図１９参照）の裏面に止着される玉誘導部材１９５（図１９参照）の後端部が侵入し得るようになっており、玉誘導部材１９５の後端と上皿連通口４３との間からピアノ線等の不正具を挿入させないようにしている。また、上皿連通口４３の後端縁の上部には、突出片部４６が延設されているが、この突出片部４６は、機構板１２の図示しない景品玉払出通路の前端縁に侵入して、上皿連通口４３の後端縁と機構板１２の景品玉払出通路の前端縁との間からピアノ線等の不正具を挿入させないようにしている。
【００１９】
一方、上皿連通口４３の反対側の支持板部４２の上部にも防犯用立壁４８が立設され、該防犯用立壁４８の上部にも防犯水平リブ４９が前方に向かって延設されている。この防犯水平リブ４９も透明板保持枠４と上皿取付板１９０の開放側上部及び側部からの不正具の侵入を阻止するためのものである。また、防犯用立壁４８の裏面には、遊技盤５を載置したときに遊技盤５に形成される位置決め穴（図示しない）と係合する位置決め突起５０が突設されている。
【００２０】
上記した支持板部４２の上端は、遊技盤５を載置し得るように遊技盤５とほぼ同じ幅を有する遊技盤載置リブ１１３として形成されるが、そのほぼ中央には、図１０に示すように、凹部５１が形成されている。凹部５１には、遊技盤５に形成されるアウト口から導かれるアウト玉を機構板１２のアウト玉誘導通路（図示しない）にスムーズに導くためのアウト玉誘導リブ５２が形成されると共に、遊技盤５の裏面下部を遊技盤収納部４１に収納した際に押圧固定するための合成樹脂製の固定レバー部材（後述する固定レバー２７０とは異なる）を取り付ける固定レバー取付用ボス５３と、取り付けられた固定レバー部材の回転を規制する固定レバーストッパー片５４とがそれぞれ突設形成されている。
【００２１】
一方、支持板部４２の前面には、溢れ玉誘導樋１７７及び発射点レール１７９（図３参照）を取り付けるための取付穴５５やそれらを位置決めするための位置決めボス突起５６が多数形成されている。このうち取付穴５５に対応する支持板部４２の裏面側には、ボス５７が突設され、該ボス５７に取付穴５５が所定の厚みをもって形成されている。また、上皿取付板１９０の開放側に対応する位置の枠基板３には、干渉回避凹部８２が形成され、該干渉回避凹部８２には、上皿取付板１９０の開放端裏面に固着される上皿用錠装置２１０（図１９，図３４参照）の係合爪２１３と係脱する係止用金具２１６（図３４参照）を止着するための取付穴８３及び位置決め突起８４も突設形成されている。
【００２２】
更に、支持板部４２には、その開放側に開口部６１が開設され、該開口部６１の下方に打球杆貫通切欠穴８６が形成され、前記溢れ玉誘導樋１７７の下流側前方に対応する位置に下皿連通口５９が開設され、軸支側に配線通し穴６０が開設されている。開口部６１は、機構板１２に設けられる賞球タンク２０の貯留玉量が不足したときに動作する玉欠乏検知レバー（図示しない）と打玉を１個ずつ発射位置に供給する打球供給装置の玉送りレバー（図示しない）とを連結するための連結杆を貫通させるものである。また、下皿連通口５９は、前記溢れ玉誘導樋１７７に流入された玉（上皿連通口４３からこぼれ落ちた玉、上皿７から玉抜きされた玉、及び発射点レール１７９の上流端に形成されるファール口から導かれた玉）を裏面側に導くためのものであり、その下皿連通口５９の裏面には、合流樋３７（図４参照）が取り付けられ、この合流樋３７によって下皿連通口５９からの玉を前記下皿８に導くものである。また、配線通し穴６０は、前記上皿７に電気的部品（例えば、スイッチや表示器や圧電ブザー等）が設けられている場合に、これらの電気的部品からの配線を枠基体３の裏面側に導くものである。更に、打球杆貫通切欠穴８６は、発射装置１１の打球杆３０が貫通して発射点レール１７９の発射位置に臨むようにさせるものである。
【００２３】
上記のように構成される支持板部４２の裏面は、合成樹脂製の支持板部カバー部材２１８（図３４参照）によって被覆されるものであるが、この支持板部カバー部材２１８を止着するために、支持板部４２の裏面には、カバー取付ボス５８が適宜の位置に突設されている。
【００２４】
一方、図８及び図９に示すように、枠基体３の開口部４０の左右上に対応する枠部の外周縁には、下辺を除いて外周リブ６４が突設されている。また、左右の外周リブ６４の内側には、内周リブ６５が突設されており、その左右の外周リブ６４と内周リブ６５とで側方から挿入されるピアノ線等の不正具の侵入を防止している。特に、開放側の外周リブ６４と内周リブ６５との間には、防犯用凹部６２が刻設され、透明板保持枠４を閉成したときに、透明板保持枠４の開放側裏面に突設される補強金具３００の端縁辺である防犯用フランジ片部３００ａが侵入するようになっており（図３３参照）、より不正具が侵入し難い構造となっている。同様に、軸支側の外周リブ６４と内周リブ６５との間にも、透明板保持枠４を閉成したときに、透明板保持枠４の開放側裏面に突設される補強金属板２９３の端縁辺である防犯用フランジ片部２９３ｄが侵入するようになっている（図３０参照）。
【００２５】
更に、枠基体３の開口部４０の左右上に対応する部分には、開放側上下にフック連通穴６３ａ，６３ｂ、軸支側の中程上中下に位置決め取付部としてのヒンジ取付凹部６６，６７，６８、軸支側中程に配線通し穴７７、軸支側上部寄りに玉抜きピン挿入穴７５と玉抜きレバー取付穴７６、上部と軸支側中程と上部左右隅角部とに干渉回避凹部７０，７１，７２、軸支側の中央一か所と開放側の上下二か所に固定レバー取付用穴７４、軸支側のやや下方のフック用開口７８、開放側の中程よりやや下方に錠貫通穴８５がそれぞれ形成されている。
【００２６】
フック連通穴６３ａ，６３ｂは、透明板保持枠４の開放側に設けられる補強金具３００（図２２参照）と一体的に設けられる錠フック３０１ａ，３０１ｂを後方に貫通させて施錠装置１０のスライド可能な係合穴（図示しない）と係合させるものである。また、配線通し穴７７は、透明板保持枠４に設けられる後述する電装部品から延びる配線を枠基体３の裏面側に通すものである。玉抜きピン挿入穴７５は、営業終了時等に前方からピンを挿入して枠基体３の裏面側に取り付けられる玉抜きレバー（図示しない）を作用させて機構板１２の賞球タンク２０等に貯留されていた賞球を弾球遊技機１の外部に排出するためのものであり、玉抜きレバー取付穴７６は、上記した図示しない玉抜きレバーを枠基体３の裏面側に取り付けるための穴である。なお、玉抜きピン挿入穴７５に対するピン挿入穴が透明板保持枠４にも形成されている。
【００２７】
複数の干渉回避凹部７０，７１，７２のうち、上部に形成される干渉回避凹部７０は、透明板保持枠４を閉じたときに透明板保持枠４の上部に設けられるＬＥＤ基板３２４のＬＥＤ及びランプ基板３２６のランプが収納される取付凹部２８３との当接状態を回避するためのものであり、また、側方に形成される干渉回避凹部７１は、透明板保持枠４を閉じたときに透明板保持枠４の軸支側側方に設けられる配線収納リブ３１１（図２４参照）の後面を覆う基板カバー３３６（図２２参照）との当接状態を回避するためのものである。更に、隅角部に形成される干渉回避凹部７２は、透明板保持枠４を閉じたときに透明板保持枠４の裏面に直接取り付けられるスピーカ３１６（図２２参照）を収納するものであり、スピーカ収納部を構成している。
【００２８】
固定レバー取付用穴７４には、遊技盤収納部４１に収納された遊技盤５の裏面を押圧固定するための固定レバー２７０（図３０参照）を取り付けるためのものであり、この詳細については、後に説明する。また、フック用開口７８は、裏面に一体的に成形される配線止め用のフック７９を形成するために形成される（金型の設計上必要とされる）ものであり、そのフック７９は、前記配線通し穴７７を通って枠基体３の裏面に導かれた配線を掛け止めるものである。更に、錠貫通穴８５には、施錠装置１０のシリンダー錠３７１（図３参照）が挿入されるものである。
【００２９】
また、枠基体３の中程左右に検出器取付穴７３が貫通形成されている。この検出器取付穴７３は、その前面から検出器を取り付けるものであり、これについては、後に詳述する。また、ヒンジ取付凹部６６，６７，６８は、それぞれ金属製のヒンジ部材１８０，１８１，１８３（図３参照）を止着する領域である。即ち、上ヒンジ取付凹部６６には、取付穴６６ａが穿設され、該取付穴６６ａに係合穴１８０ａを有する上ヒンジ部材１８０が軸受金具１６ａと一体的に共締めされ、中ヒンジ取付凹部６７には、取付穴６７ａと位置決め突起６７ｂとが形成され、上下に突出するヒンジピン１８２を有する中ヒンジ部材１８１が取付穴６７ａと位置決め突起６７ｂとによって位置決め止着され、下ヒンジ取付凹部６８には、取付穴６８ａと位置決め突起６８ｂとが形成され、係合穴を有する下ヒンジ部材１８３が取付穴６７ａと位置決め突起６７ｂとによって位置決め止着される。そして、上ヒンジ部材１８０と中ヒンジ部材１８１には、透明板保持枠４が開閉自在に軸支され、中ヒンジ部材１８１と下ヒンジ部材１８３には、上皿７の上皿取付板１９０が開閉自在に軸支される。この軸支構造については、後に詳述する。なお、軸受金具１６ａは、上ヒンジ取付凹部６６の内側に形成される取付穴６９によっても裏面から止着されている。
【００３０】
枠基体３の枠部分の正面構造において、上記した構成以外に、遊技盤収納部４１の前面ほぼ中央の左右に透明板支持リブ８０が一体的に突設されている。この透明板支持リブ８０は、図３３に示すように、透明板保持枠４を閉じたときに円形状のセットガラス板６の左右裏面と当接するものであると共に、遊技盤５に植立されている釘１３８やレール１３９よりも高い位置で裏面からそれを支えるので、遊技者がセットガラス板６に力を加えたときに、セットガラス板６の破損等を防止するものである。また、開放側の前記錠貫通穴８５の内側上部と軸支側の中ヒンジ取付凹部６７及び下ヒンジ取付凹部６８との間の内側には、下部内側防犯用リブ８１が突設され、透明板保持枠４と上皿取付板１９０との境界部分及び上皿取付板１９０の側方からの不正具の侵入を防止している。
【００３１】
枠基体３の透明板保持枠４及び上皿取付板１９０に対応する部分の構成は、以上の通りであるが、枠基体３の前面枠部分の下方部分は、板状の平板部を構成しており、図９に示すように、その前面上部に上皿取付板１９０の下方部が侵入当接する干渉回避凹部８７が刻設されている。この干渉回避凹部８７は、中央部で円弧状に刻設されているが、左右で浅い凹状となっており、その凹状の上面左右に上皿取付板１９０の閉成動作をスムーズならしめるため、低い開閉誘導リブ８８が突設されている。また、軸支側の端部上部に上皿取付板１９０の下端の軸支ピン（図示しない）を受け入れる切欠凹部８９が形成されている。更に、平板部の左右両端からやや内側には、縦斜め状に取付凹部９０，９１が刻設されている。軸支側の取付凹部９０は、側方カバー部材１３４の内面の一部と係合して側方カバー部材１３４の位置決めを行うものであり、開放側の取付凹部９１は、操作ハンドルセット９の取付基板１７０の内面の一部と係合して取付基板１７０の位置決めを行うものである。なお、側方カバー部材１３４の外側折曲端部が嵌め込まれる取付凹部９７が平板部の軸支側側面に刻設されている。
【００３２】
また、平板部には、そのほぼ中央に下皿連通口９２が、その開放側よりの側部にハンドル作動開口９３がそれぞれ開設形成されている。下皿連通口９２の前面周囲には、下皿連通口飾り用凹部９４が形成され、該凹部９４に開口１３２ａを有する開口飾り部材１３２（図３参照）の取付ボス１３３を取付穴９５に嵌め込んで裏面からビスで止着することにより、開口飾り部材１３２を取り付けるようになっている。しかして、下皿連通口９２に対応して下皿８が取り付けられるが、その取付を容易ならしめるために下皿連通口９２の周囲に下皿取付係合穴９９と下皿取付位置決め穴９８とが形成されている。同様に、側方カバー部材１３４を取り付けるための位置決め取付穴１００、右側方カバー部材２０７を取り付けるための位置決め取付穴１０２、操作ハンドルセット９の取付基板１７０を取り付けるためのハンドル取付穴１０３及び位置決め穴１０４、操作ハンドルセット９内から延びる配線を通すための配線貫通穴１０５もそれぞれ所定の位置に形成されている。なお、ハンドル作動開口９３の周囲の適宜位置には、ハンドル取付穴１０３及び位置決め穴１０４以外にその裏面に取り付けられる発射装置１１の取付基板の位置決めを行う発射装置用位置決め穴１０６も穿設されている。これらの取付については、後に詳述する。
【００３３】
一方、枠基体３の裏面構造においては、図１０及び図１１に示すように、前述した遊技盤収納部４１が合成樹脂によって一体的に成形されている。しかして、遊技盤収納部４１は、遊技盤５を支持し且つ固定するものであるため、遊技盤５を支持する構造及び遊技盤５を正確に固定するための部品を有する。また、遊技盤収納部４１は、遊技盤５の裏面に設けられて所定個数の賞球を払い出すための各種の機構が設けられる機構板１２を正確に取り付けるための部品も有する。具体的には、遊技盤５を収納支持する構造として遊技盤５の左右を規制する遊技盤収納リブ１１１，１１２と、複数（２個）の位置決め突起５０，１０８と、位置決めリブ１０９，１１４とがある。２つの位置決め突起５０，１０８のうち、一方の位置決め突起５０は、前記したように防犯用立壁４８の裏面側に突設されるが、他方は、枠基体３の上部中央に突設される。また、位置決めリブ１０９，１１４は、位置決め突起１０８の左右両側方に突設され、該位置決めリブ１０９，１１４に対応する部分の遊技盤５が切り欠けられており、その切欠部が位置決めリブ１０９，１１４と係合するようになっている。
【００３４】
上記のような遊技盤収納構造においては、遊技盤５の下部は、前記支持板部４２の上面である遊技盤載置リブ１１３に載置されると共に位置決め突起５０によって位置決めされ、左右を遊技盤収納リブ１１１，１１２によって規制され、更に、上部を位置決め突起１０８（遊技盤５の位置決め穴５ａが挿入される；図３２参照）と位置決めリブ１０９，１１４とによって位置決めすることにより遊技盤５を正確な位置に収納するようになっている。なお、一方の位置決めリブ１０９の隣接する位置には、規制突起１１０が突設されているが、この規制突起１１０は、外枠２と枠基体３の内側との間隔を狭くして、枠基体３の上動範囲を小さくするものである。なお、開放側の遊技盤収納リブ１１１の中程に直交する防犯リブ１１５が突設されるが、この防犯リブ１１５は、前記施錠装置１０の操作杆３７５の上部を覆うものであり、上方からの不正具の侵入を防止するものである。
【００３５】
また、遊技盤５を固定するための部品として複数（４個）の固定レバーがあるが、このうち、前記固定レバー取付用ボス５３に軸支される固定レバーと前記固定レバー取付用穴７４とに装着される固定レバー２７０は、全く異なる構造のものであり、特に固定レバー２７０については、枠基体３への取付が従来とは異なる構造によって行われている。この点については、後に詳述する。
【００３６】
また、機構板１２を取り付けるための部品として、開閉支持金具（図示しない）と、複数（３個）の止着部材３６（図４参照）とがある。開閉支持金具は、軸支側の遊技盤収納部４１の裏面上下に取り付けられるものであり、このため、前記遊技盤収納リブ１１２の上方及び支持板部４２の下方に開閉支持金具取付穴１１９，１２１と位置決め突起１１８，１２０がそれぞれ形成されている。また、複数の止着部材３６のうち、１つの止着部材３６は、前記支持板部４２の裏面を被覆する支持板部カバー２１８の表面に取り付けられるものである。また、他の２つの止着部材３６は、開放側の上部と軸支側の上辺とに設けられ、このため、枠基体３には、対応する位置の前記遊技盤収納リブ１１１と位置決めリブ１１４に止着部材用取付穴１１７が形成されている。更に、枠基体３の軸支側の上下端裏面には、軸受金具１６ａ，１６ｂを止着するための取付穴６６ａ，６９と軸受金具取付穴１２４とが形成されている。
【００３７】
枠基体３の枠部分の裏面構造において、上記した以外の構成は、開放側に施錠装置１０を止着するための錠装置取付穴１１６が形成され、軸支側の中央よりやや下方に外枠係止部材１３０を係止するための取付穴１２２と位置決め突起１２３とが突設されている。外枠係止部材１３０は、図１２に示すように、棒状の金属板で構成されており、枠基体３を外枠２に対して閉じたときに、外枠係止部材１３０の外側片が外枠２の内周面とほぼ当接状態となり、外枠２に対する枠基体３のガタ付きを少なくするものである。
【００３８】
また、枠基体３の平板部の裏面構造においては、その上部に区画リブ１２９が突設され、該区画リブ１２９と最下辺に突設されるリブとの間に前記下皿連通口９２やハンドル作動開口９３が形成され、それぞれの開口９２，９３の開口縁に沿って後方にリブが突設されると共に該リブも縦横に突設されるリブと連結して全体の強度を高めている。また、前記下皿連通口９２の側方と軸支側の内側とに前記電飾基板２９を止着するための取付穴１２５と位置決め突起１２６とが突設され、また、下皿連通口９２の周囲に前記合流樋３７を止着するための取付穴１２５が穿設されている。ただし、この合流樋３７を下皿連通口９２の裏面に当接したときには、下皿連通口９２の開口縁の左右に形成される位置決め穴９６に合流樋３７に形成される突起（図示しない）を挿入して行う。また、前記ハンドル操作開口９３の周囲には、発射装置１１の取付基板を止着するための発射装置用取付穴１０７が穿設されている。
【００３９】
なお、下皿連通口９２の軸支側方向の位置には、静電気防止部材（図示しない）を取り付けるための取付穴１０１が形成されている。静電気防止部材は、金属製の帯状板で構成されており、その一端を前記合流樋３７と一緒に共締めされており、その他端を前記軸受金具１６ｂと一緒に共締めされている。これによって合流樋３７（導電性の合成樹脂によって形成されている）を通るパチンコ玉に帯電した静電気を静電気防止部材を介して弾球遊技機１全体又は弾球遊技機１の外部（アース線が接続されているとき）に放電するようになっている。また、下皿連通口９２の下方は、刻印領域１２８となっており、この刻印領域１２８に刻印される合成樹脂の種類によってリサイクル時における分類を容易とし、また、製造年月日によって耐久年数や型式を知ることができる。
【００４０】
以上で枠基体３の詳細な構成について説明したが、この枠基体３に取り付けられる各種の部品について、以下、説明する。
（４）検出器取付穴への検出器の取付構造
図１３は、検出器取付穴７３への検出器１３１の取付構造を示す斜視図である。図において、検出器取付穴７３は、前後が貫通したボックス状の収納筒７３ａとなっており、その側壁に形成される係合凸部７３ｂが挿入される検出器１３１の側壁に形成される係合凹部１３１ａと係合して簡単に装着することができるようになっている。ただし、収納筒７３ａの後面側には、検出器１３１の押し込み過ぎを防止する止め片７３ｃが突設されているが、この止め片７３ｃは、一部にしか形成されていないので、検出器１３１からの配線を後方に引き出すことができる。なお、図示の実施形態における検出器１３１は、前述したようにドアースイッチと言われるもので、透明板保持枠４を開放した不正を防止するために設けられるものである。
（５）枠基体３の平板部への取付構造
図１４は、枠基体３の平板部と側方カバー部材１３４，下皿８及び操作ハンドルセット９との関係を示す斜視図であり、図１５は、枠基体３の平板部と側方カバー部材１３４の取り付け状態を示す斜視図と断面図である。図において、前述したように、枠基体３の平板部には、側方カバー部材１３４を取り付けるための位置決め取付穴１００が穿設されるが、この位置決め取付穴１００は、図１５（Ｂ）に示すように、側方カバー部材１３４の裏面に突設される取付ボス１３６を嵌入するようになっており、位置決め取付穴１００に取付ボス１３６を嵌入した後に、裏面からビス１３７で止着することにより側方カバー部材１３４を枠基体３の平板部に止着している。このように、位置決め取付穴１００は、位置決め機能と取付機能とを合わせもち、外観を損なわず、組み付けも容易である。このような機能は、開口飾り部材１３２に対応する取付穴９５や、右側方カバー部材２０７に対応する位置決め取付穴１０２や、前記当て板１８に形成される取付穴１９ｂも有している。また、側方カバー部材１３４を枠基体３に組み付けることで、枠基体３にある切欠凹部８９と側方カバー部材１３４により、円柱状の凹部が形成されることとなり、この凹部に上皿７下部のヒンジピンを差し込んで支持することができる。しかして、上記のような凹部は、金型成形で成形するのは困難であるところ、上記のように構成することによって容易に凹部を形成することができる。なお、側方カバー部材１３４は、装着した際にその上下が下皿８の上下部に位置するので、下皿８側に下皿８と係合する係合部１３５が凹設されている。
【００４１】
また、前述したように、下皿連通口９２の周囲を囲むように開口飾り部材１３２が取り付けられた後、下皿８が取り付けられ、また、操作ハンドルセット９及び発射装置１１が取り付けられる。下皿８と操作ハンドルセット９の取付構造については、後に詳述する。
（６）下皿
枠基体３の平板部に取り付けられる下皿８の詳細な構成について図１６乃至図１８を参照して説明する。図１６は、下皿８の分解斜視図であり、図１７は、図１のＧ−Ｇ線で切断した灰皿部分の断面図であり、図１８は、灰皿１６２の灰を取り出す動作を示す断面図である。下皿８は、複数の部材を組み立てた状態でセット化されて枠基体３の下部中央に止着固定されているものである。以下、下皿８の構成について説明する。
【００４２】
下皿８は、図１６に示すように、下皿基体１４０と、該下皿基体１４０に取付けられて前記下皿連通口９２から流下する玉を貯留する玉受部材１４９と、該玉受部材１４９から貯留玉を抜き取る玉抜き装置１５４と、灰皿１６２と、を備えている。下皿基体１４０には、その裏面側に取付ネジ１０２が後方に向けて複数本設けられており、その取付ネジ１４４を枠基体３側の取付係合穴９９に貫通して裏面からナット１４４ａで締めることで下皿８が枠基体３に取付け固定されるようになっている。なお、下皿基体１４０の下端面には、後方に向けて位置決め凸部１４５が突設されており、この位置決め凸部１４５を枠基体３側の取付位置決め穴９８に差し込むことで、下皿連通口９２と玉受部材１４９との接続状態を確実に確保すると共に下皿８の取付作業の容易化を招来している。
【００４３】
また、下皿基体１４０の前面壁には、レバー操作穴１４７が穿設されると共にその裏面側の上下２箇所にレバーガイド１４８が設けられて、玉抜き装置１５４を構成する玉抜き操作レバー１５５がスライド可能に取付けられるようになっている。一方、玉受部材１４９には、該玉受部材１４９を下皿基体１４０にビス止めするための取付穴１５２が穿設されると共に、下面に玉抜き穴１５３が開設されており、この玉抜き穴１５３には、玉抜き装置１５４が臨設されている。玉抜き装置１５４は、前記玉抜き穴１５３を開閉する開閉蓋１５７と、該開閉蓋１５７を摺動自在に収納し且つ前記玉抜き穴１５３に対応する玉抜き穴１６１が形成されたカバー部材１６０と、から構成され、開閉蓋１５７は、カバー部材１６０内に収納支持されるスプリング１５９によって常に玉抜き穴１６１との間に挿入された状態に付勢されている。開閉蓋１５７は、その前面側に突設される係合凸部１５８が前記玉抜き操作レバー１５５の下部中央に突設される係合凸部１５６に係合され、スプリング１５９の付勢力に抗して玉抜き操作レバー１５５が一方向に移動されることで、一連の玉抜き穴１５３，１６１を連通して、玉受部材１４９に貯留される打玉を下方（通常、玉箱が設置される）に落下せしめるようになっている。なお、玉抜き装置１５４は、玉受部材１４９の下面から突設される取付ボス１６１にビスで止着されることにより取付けられている。このように、図示の実施例においては、玉抜き操作レバー１５５を下皿８の前面壁の中央に内蔵して設けたので、従来のように操作レバーを下皿の底面に沿って設けたものに比較して外部からのイタズラによって故障せしめられることが少なくなるという利点がある。
【００４４】
また、上記下皿８の下皿基体１４０には、前記玉受部材１４９の隣接位置に灰皿取付部１４１が切欠形成されており、該灰皿取付部１４１には、熱硬化性樹脂からなる灰皿１６２がカバー部材１６４を介して取付けられるようになっている。カバー部材１６４は、灰皿１６２側のビス止めボス１６３を介してビス１６９によって灰皿１６２と一体的に取付け固定されており、その前面形状は、下皿基体１４０の前面形状と連続的な意匠をなしている。また、カバー部材１６４の左右両端には、後方に向かって取付突片１６６が形成されており、該取付突片１６６には、縦長形状の係合穴１６７が穿設されている。そして、この係合穴１６７が下皿基体１４０及び玉受部材１４９に突設された係合凸部１４２，１５０に係合されることで、図１７に示す状態で灰皿１６２が下皿基体１４０に取付けられる。なお、このような係合穴１６７と係合凸部１４２，１５０との係合は、灰皿１６２を下皿基体１４０から引き上げた状態でのみ灰皿１６２の完全回動を可能にするものである。
【００４５】
即ち、図１７に示すように、灰皿１６２が下皿基体１４０にセットされた状態で灰皿１６２を回転させた場合では、カバー部材１６４の下面後端部１６５と下皿基体１４０の下面前端部１４３との間隔Ｌ１分しか回転しないのに対して、図１８（Ａ）に示すように、灰皿１６２を下皿基体１４０から引き上げた状態では、カバー部材１６４の下面後端部１６５は下皿基体１４０の下面前端部１４３に当接することがないので、図１８（Ｂ）に示すように、灰皿１６２を完全に回転させることができる。このように、本実施例では、灰皿１６２を下皿基体１４０から引き上げた状態でのみ灰皿１６２の完全回動を可能にすることで、誤って灰皿１６２を回転せしめることがなく、吸い殻等のゴミＧが遊技者の不注意により灰皿１６２から落ちることを回避している。
（７）操作ハンドルセット
また、前記ハンドル作動開口９３に対応して操作ハンドルセット９が装着される。操作ハンドルセット９は、前記上皿７の側壁から装飾的に連続する取付基板１７０に所謂ハンドルが突設されて構成されるものであり、その突設されるハンドルは、図１４に示すように、取付基板１７０に直接的に固定される内固定部１７１と、該内固定部１７１の前面側に固定される外固定部１７２と、内固定部１７１と外固定部１７２との間で回動自在に設けられる可動部１７３と、から構成されている。また、取付基板１７０の裏面には、複数の取付ネジ１７４や位置決め突起１７５が後方に向かって突設されており、位置決め突起１７５を位置決め穴１０４に差し込むと同時に、取付ネジ１７４をハンドル作動開口９３の周囲に穿設されるハンドル取付穴１０３に差し込んで裏面から発射装置１１の取付基板（図示しない）と共締めするようにナットで締着することにより、取付基板１７０が枠基体３に固定される。また、ハンドル作動開口９３の側方には、配線通し穴１０５が形成されているが、これは、操作ハンドルセット９内に設けられるスイッチ（発射装置スイッチやタッチ板）の配線１７６を枠基体３の裏面側に導くものである。
【００４６】
上記のように構成される操作ハンドルセット９においては、可動部１７３を回動せしめることにより、その回動操作が発射装置１１側に伝達されて発射装置１１の打球杆３０の発射勢を変化させることができる。このため、可動部１７３を所望の位置まで回動させた状態を手で保持することにより、打玉を一定の速度で弾発することが可能となる。なお、図示の実施例における操作ハンドルセット９は、取付基板１７０（又は枠基体３）に対して垂直方向に突設されているわけではなく、やや外側に傾斜した状態で突設されている。これは、遊技者がハンドルを操作する際に手首を不自然に折り曲げた状態ではなく自然な状態にしたままでハンドルを握ることができるように配慮した設計であり、長時間の遊技を行っても疲れないようにしたものである。
（８）上皿
次に、枠基体３の下部で開閉自在に取り付けられる上皿７の構成について図１９乃至図２１を参照して説明する。図１９は、上皿７の分解斜視図であり、図２０は、上皿７の主要構成部材である皿部材２２０の分解斜視図であり、図２１は、図１のＦ−Ｆ線で切断した上皿７の断面図である。図において、上皿７は、合成樹脂製の上皿取付板１９０の表面に合成樹脂製の皿部材２２０と各カバー部材２０２，２０５とを固着することにより構成されている。上皿取付板１９０には、軸支側上端の支点穴１９１に加えて、各種構成部材２２０，２０２，２０５の取付穴１９２と、皿部材２２０の配線２３５，２６１を弾球遊技機１側に接続するための配線挿通穴１９３と、軸支側に形成されて皿部材２２０の貯留部２２２に賞球又は購入した遊技玉を排出させる賞球排出口１９４と、玉抜きされた賞球を前記溢れ玉誘導樋１７７の抜き玉連通口１７８に導く玉抜き穴１９９と、図示しない打球供給装置が取り付けられる打球供給装置取付穴１９７と、が穿設されると共に、開放側の上端に玉抜き操作レバー１９６が設けられ、該玉抜き操作レバー１９６と玉抜き弁２２５と連結するために玉抜き弁２２５から突設される連結片が挿入される連結穴２００と、皿部材２２０の整列路２２３を流下するパチンコ玉によって上皿取付板１９０が摩耗するのを防止するために取り付けられる摩耗防止金具２２３ａを装着する摩耗防止金具挿通溝２０１とが設けられ、更に、皿部材２２０を止着するための取付ボス１９８が突設されている。
【００４７】
前記玉抜き操作レバー１９６は、左右方向に移動可能に設けられ、図示しないスプリングの付勢力に抗して一方向に移動させることにより、前記貯留部２２２から連続する整列路２２３の下流端に設けられる玉抜き弁２２５（図２０参照）を開放して貯留部２２２に貯留されていた玉を上皿取付板１９０の裏面に形成される玉抜き路２２６（図２０参照）を流下させて前記抜き玉連通口１７８に導き、最終的に下皿８に誘導するものである。なお、賞球排出口１９４の裏面には、玉誘導部材１９５が止着されており、上皿取付板１９０を閉じたときに玉誘導部材１９５の後端が前記上皿連通口４３と連通するようになっている。
【００４８】
一方、皿部材２２０は、図２０に示すように、貯留部２２２が形成される皿主体２２１と、該皿主体２２１の前方を覆う前方カバー部材２４４と、該前方カバー部材２４４の下部から後方に向かって前記皿主体２２１との間に空間を構成する底カバー部材２４１と、前記皿主体２２１の下流側上面と前方カバー部材２４４とに挟持される操作透視板２４９と、からなる複数の部材を組み立てた状態で上皿取付板１９０の表面に一体として取着固定されているものである。
【００４９】
より詳細には、前記皿主体２２１は、その上流側が多数の賞球を貯留し得る貯留部２２２となっており、その下流側は、貯留部２２２に連続して賞球を一列に整列しながら図示しない打球供給装置に送る整列路２２３となっている。整列路２２３の下流端直前には、玉抜き口２２４が形成され、通常の状態では、該玉抜き口２２４が玉抜き弁２２５によって閉塞されており、前記玉抜き操作レバー１９６を操作したときに玉抜き弁２２５が前記整列路２２３の下方に隠れるようにスライドして玉抜き口２２４が開放される。すると、貯留部２２２に貯留されていた賞球は、玉抜き口２２４から整列路２２３の下方に形成される玉抜き路２２６を通って前記玉抜き穴１９９から抜き玉連通口１７８に誘導され、最終的に下皿８に誘導される。
【００５０】
また、皿主体２２１には、貯留部２２２の裏面にフラット玉検出器２２７を着脱自在に取り付ける取付部２２８が形成されると共に、前記玉抜き路２２６の下方に圧電ブザー２３０が装着されるブザー取付基板２２９を止着するための取付突起２３１と取付穴２３２とが形成されている。まず、前記フラット玉検出器２２７は、貯留部２２２に貯留される賞球の残留量を検出するためのものであり、後述する自動玉貸選択スイッチ２５７が操作されている状態でフラット玉検出器２２７が賞球を検出しなくなったときに、カードユニット１３に投入されているカードに残額情報が記録されていることを条件として、その残額の範囲内で所定数の遊技玉を自動的に貯留部２２２に貸し出すために設けられているものである。また、ブザー取付基板２２９に形成される挿入穴２３３に前記取付突起２３１を挿入し、同じくブザー取付基板２２９に形成される取付穴２３４を前記取付穴２３２に対応させた状態でビス２３６を螺着することにより、簡単に圧電ブザー２３０を皿主体２２１に取り付けることができるが、その取り付けた状態では、圧電ブザー２３０は、皿主体２２１と底カバー部材２４１とによって形成される空間内に位置することとなり、底カバー部材２４１に形成される後述する音声透過穴２４２を介して圧電ブザー２３０から発せられる音を遊技者に明確に知らせることができる。なお、この圧電ブザー２３０の音は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。また、ブザー取付基板２２９の裏面からは、配線２３５が引き出されており、前記フラット玉検出器２２７からも配線２２７ａが引き出されている。
【００５１】
更に、皿主体２２１には、前記玉抜き口２２４よりも下流側に供給口２３７が形成され、該供給口２３７が前記打球供給装置取付穴１９７に臨んで図示しない打球供給装置に連通するものである。また、皿主体２２１の左右両端には、前方カバー部材２４４に組み付けるための組付穴２３８が形成されている。
【００５２】
上記した皿主体２２１の下方を覆う底カバー部材２４１は、楕円形の皿状に形成され、そのほぼ中央に前述した音声透過穴２４２が形成されている。また、底カバー部材２４１の前方は起立しており、その起立部分に後方に向かって複数の取付ボス２４３が突設されている。この取付ボス２４３は、前方カバー部材２４４の下部に突設される組付ボス２４６に前方から嵌入されてビスで止着することにより、底カバー部材２４１と前方カバー部材２４４とを組付け固定するものである。
【００５３】
上記した皿主体２２１及び底カバー部材２４１によって形成される空間の前方部分を覆う前方カバー部材２４４は、その上面端縁が前記皿主体２２１の上端縁の係合溝２２１ａに係合するように形成され、その下面端縁が底カバー部材２４１の前方形状に沿うように形成されている。しかして、前方カバー部材２４４の下端には、前述した底カバー部材２４１の取付ボス２４３と嵌合組付けられる複数の組付ボス２４６が突設され、その左右端部には、前記皿主体２２１の組付穴２３８に対応してビスで止着される組付ボス２４７が突設され、更に、皿部材２２０全体を上皿取付板１９０の取付穴１９２に止着するための取着ボス２４８が突設されている。また、前方カバー部材２４４の下流側には、操作透視板２４９を係止装着するための係止片２４５が形成されている。
【００５４】
皿主体２２１の下流側上面と前方カバー部材２４４とに挟持される操作透視板２４９は、後述するカードユニット１３に関連する操作手段が設けられるものである。具体的には、操作透視板２４９は、発光源（具体的には残高表示器２６０）を視認し得る程度の半透明状の合成樹脂によって形成され、その上面に自動玉貸選択ボタン２５０と玉貸ボタン２５１と返却ボタン２５２とが設けられ、その裏面に突設される取付ボス２５３にスイッチ基板２５６がビス２６２によって止着されている。スイッチ基板２５６には、自動玉貸選択ボタン２５０に対応する位置に自動玉貸選択スイッチ２５７が実装され、玉貸ボタン２５１に対応する位置に玉貸スイッチ２５８が実装され、返却ボタン２５２に対応する位置に返却スイッチ２５９が実装され、また、自動玉貸選択スイッチ２５７と玉貸スイッチ２５８との間に複数の７セグメントＬＥＤからなる残高表示器２６０が実装され、その裏面に上記各電気部品の配線２６１が接続されている。そして、上記したスイッチ基板２５６が取り付けられた状態で操作透視板２４９の上端一側に形成される係合溝２５５を皿主体２２１の下流側に形成される係合突起（図示しない）に挿入した後、操作透視板２４９の上端他側に形成される係合片２５４を前記係合片２４５に係合することにより、操作透視板２４９を皿主体２２１と前方カバー部材２４４との間に挟持固定することができる。
【００５５】
上記した操作透視板２４９に設けられる電気部品の動作について説明すると、遊技者が自動玉貸選択ボタン２５０を操作して自動玉貸選択スイッチ２５７をＯＮしたとき（このとき該ボタン２５０が点灯するように構成することが望ましい）、前述したように前記フラット玉検出器２２７が賞球を検出しなくなったときに、カードユニット１３に投入されているカードに残額情報が記録されていることを条件として、その残額の範囲内で所定数毎の遊技玉を自動的に貯留部２２２に貸し出すように制御されるため、貯留部２２２に残留している玉数を気にすることなく遊技に集中することができる。また、遊技者が玉貸ボタン２５１を操作して玉貸スイッチ２５８をＯＮしたとき、カードユニット１３に投入されているカードに残額情報が記録されていることを条件として、その残額の範囲内で所定数の遊技玉（例えば、３００円分に対応する玉数；ただし、この貸出額を任意に変更設定できるようにしても良い）を貯留部２２２に貸し出すように制御される。更に、遊技者が返却ボタン２５２を操作して返却スイッチ２５９をＯＮしたとき、カードユニット１３に投入されているカードが返却されるように制御される。また、残高表示器２６０には、カードユニット１３にカードを投入している状態においてカードに記録されている残高が表示されるようになっている。
【００５６】
上記のように操作透視板２４９において遊技玉の貸出操作を行うことができるが、カードユニット１３からの貸出指令があったにも拘らず遊技玉の貸出動作が行われなかったときや遊技玉の貸出動作が行われたときには、前記圧電ブザー２３０からそれぞれの状態に応じた報知音が発生される。そして、本実施例においては、その報知音が上皿７の皿部材２２０内に収納される圧電ブザー２３０から発生され、それ以外の遊技の進行に関係する効果音は、圧電ブザー２３０から離れた位置となっている後述する透明板保持枠４の上部両端に設けられるスピーカ３１６から発生されるので、圧電ブザー２３０から報知される報知音とスピーカ３１６から効果音とを明確に聞き分けることができ、報知音が効果音によってかき消されることがなく、遊技玉の貸出に対する正確な状態を把握することができる。なお、圧電ブザー２３０から発せられる音（報知音）は、遊技者に注意を喚起するためのものであるため、楽音ではない音が発せられるが、これをスピーカで構成して楽音又は音声で報知するようにしても良い。
【００５７】
図１９に戻って、上皿取付板１９０の左右に取り付けられるカバー部材２０２，２０５は、各々、裏面に突設された取付ボス２０４，２０６が上皿取付板１９０の取付穴１９２に位置決め係合されて裏面からビスで止着されることで、皿部材２２０の左右両側に取付け固定されるようになっている。なお、カバー部材２０５の開放側端部には、前記錠貫通穴８５と連通する錠穴２０８が穿設されたカバー部材２０７がその裏面に突設された取付ボス２０９によって前記枠基体３の位置決め取付穴１０２に直接取り付け固定されている。
【００５８】
また、皿部材２２０の左右両側に取付けられる各カバー部材２０２，２０５，２０７は、上皿取付板１９０の前面に配されて遊技客の不正行為を防止すると共に、弾球遊技機１を正面から見たときに透明板保持枠４と上皿取付板１９０とを明瞭に区別させない意匠にて形成されることで、装飾的に弾球遊技機１の全体が統一化された印象を与えるようになっている。
【００５９】
また、上皿取付板１９０の開放側裏面には、枠基体３に対して上皿取付板１９０を施錠する上皿用錠装置２１０が設けられている。この上皿用錠装置２１０は、上皿取付板１９０に止着される錠基体２１５（図３４参照）と、該錠基体２１５に対して上下動可能に取付けられた可動部材２１１と、該可動部材２１１を常時上方に付勢するスプリング２１４（図３４参照）と、を備えており、可動部材２１１には、その上端に施錠解除用の押圧操作部２１２（図１９参照）が形成される一方、下端には枠基体３側に設けられた係止用金具２１６（図３４参照）と係合する係合爪２１３（図３４参照）が形成されている。なお、上皿用錠装置２１０の前面側は、前述のように上皿取付板１９０とカバー部材２０５との二重基板の構造をなしており、タバコやライター等の発熱具による穴空けを防止して、上皿用錠装置２１０に対する不正操作を防止し得るようになっている。
【００６０】
次に、上皿７の上皿取付板１９０の着脱構造について説明すると、上皿取付板１９０は、その軸支側上端に支点穴１９１が設けられる一方、軸支側下端には、カバー部材２０２に支点穴２０３が設けられている。しかして、図３に示すように、上端の支点穴１９１を前記中ヒンジ部材１８１のヒンジピン１８２の下部突設側に差し込み、その状態で下部の支点穴２０３と前記下ヒンジ部材１８３の係合穴１８４とに図示しないスプリングで付勢されるヒンジピンを差し込むことで、上皿７の上皿取付板１９０が枠基体３に開閉自在に軸支される。逆に、上皿取付板１９０を取り外す場合には、支点穴２０３と下ヒンジ部材１８３の係合穴１８４とに差し込まれたヒンジピンを抜き取り、その後、全体を下方に引き下げてヒンジピン１８２から支点穴１９１を引き抜くことにより簡単に行うことができる。
（９）透明板保持枠
透明板保持枠４は、前記遊技盤５の遊技領域を透視し得るセットガラス板６を装着し得るものであると共に、本実施形態においては、特に装飾効果及び強度を高め得るように構成されたものである。しかして、本実施形態における透明板保持枠４は、主枠構成部材２８０と、該主枠構成部材２８０の前面側に装着されて遊技状態等に応じて照明装飾する各種の照明装飾部材と、主枠構成部材２８０の前面側に装着される各補強枠部材３３８，３４５と、を備えている。なお、主枠構成部材２８０には、前記セットガラス板６、遊技時の効果音等を発生する左右一対のスピーカ３１６、及び該スピーカ３１６の前面を被覆する金網状のスピーカカバー３２３も取付け固定されるものである。そこで、以下、透明板保持枠４を構成する構成部材毎に図２２乃至図２９を参照して順次説明する。図２２は、透明板保持枠４の正面から見た分解斜視図であり、図２３は、透明板保持枠４の正面図であり、図２４は、透明板保持枠４の背面図であり、図２５は、一部の部品を取り外した状態の透明板保持枠４の背面図であり、図２６は、図２５のＨ−Ｈ線で切断した断面図であり、図２７は、スピーカ３１６の取付状態を示す斜視図であり、図２８は、スピーカ３１６の異なる取付状態を示す側面図であり、図２９は、透明板保持枠４と隣接して設けられる玉貸機との関係を示す説明図である。
（９−１）主枠構成部材
まず、主枠構成部材２８０について説明する。主枠構成部材２８０は、図２２及び図２１に示すように、ほぼ正方形状の合成樹脂板からなり、その中央部には遊技盤５の遊技領域の外周形状に沿った円形状の開口２８２が形成されている。なお、主枠構成部材２８０の左側上端には、前記上ヒンジ部材１８０との干渉を回避するための切欠部２８１が形成されている。主枠構成部材２８０の前面側の上辺部には、照明装飾部材としてのＬＥＤ基板３２４、ＬＥＤカバー３２５、ランプ基板３２６、及びランプカバー３２９の組付け位置を一義的に決める取付凹部２８３が刻設されている。これにより、ＬＥＤ基板３２４、ＬＥＤカバー３２５、ランプ基板３２６、及びランプカバー３２９の組付けの容易化を図ることができる。なお、取付凹部２８３内には、ＬＥＤ基板３２４の電気配線を主枠構成部材２８０の裏面側に引き出すための引出口２８４が左右２箇所に開設されている。
【００６１】
また、取付凹部２８３の左右側方には、それぞれスピーカ３１６設置用のスピーカ効果穴２８５が開設されると共にスピーカカバー３２３取付け用の取付凹部２８６が刻設されている。また、左側（軸支側）のスピーカ効果穴２８５と取付凹部２８３との間には、照明装飾部材としての各ＬＥＤ基板３３２，３３４を取付けるための取付穴２８７ａ，２８７ｂが開設されている。また、主枠構成部材２８０の左右の各側辺部には、照明装飾部材としての各ランプ基板３２７，３２８を取付けるための取付穴２８８ａ，２８８ｂ，２８９ａ，２８９ｂが前記開口２８２に沿った円弧状にて開設されている。更に、主枠構成部材２８０の下辺部の左右２箇所には、半円形状の窓２９０ａ，２９０ｂが開設されており、該窓２９０ａ，２９０ｂには、遊技盤５に貼付される証明用の各シールが視認できるように、透明材料からなる窓カバー部材２９１ａ，２９１ｂが主枠構成部材２８０の裏面からビス止め固定されている。
【００６２】
一方、主枠構成部材２８０の裏面側の構造においては、図２４及び図２５に示すように、前記取付凹部２８３の裏面側に配線収納金具２９２がビス止め固定されると共に、軸支側裏面の上部及び下部に補強金属板２９３，２９４が、また開放側裏面の上部に補強金属板２９５がそれぞれビス止め固定されるようになっている。なお、配線収納金具２９２は、電気配線の収納機能（実際には、被覆機能）に加えて透明板保持枠４の補強機能をも併せ持つものである。補強金属板２９３，２９５には、それぞれスピーカ３１６取付け用の取付穴２９３ａ，２９５ａが穿設されており、補強金属板２９４には、配線挿通用の挿通穴２９４ａが穿設されている。また、補強金属板２９３には、前記上ヒンジ部材１８０と係合するヒンジピン２９６がピン収納筒２９８に収納されてスプリング２９７（図２２参照）により上下動可能に設けられる一方、補強金属板２９４の下端に位置する主枠構成部材２８０の裏面には、前記下ヒンジ部材１８３と係合するヒンジ金具２９９がビス止め固定されている。
【００６３】
また、主枠構成部材２８０の裏面における開放側辺部及び下辺部には、各々、細長形状の補強金具３００，３０２がビス止め固定されており、補強金具３００の長手方向における上下２箇所には、前記枠基体３に形成された上下一対のフック連通穴６３ａ，６３ｂに挿通される錠フック３０１ａ，３０１ｂが設けられている。なお、主枠構成部材２８０の裏面には、前記検出器取付穴７３の各検出器１３１に対応するスイッチ押圧部３１３が突設されており、該スイッチ押圧部３１３に対応する補強金属板２９４，２９５の各部位には、後方に突出した各スイッチ押圧部３１３を貫通せしめるスイッチ挿通穴２９４ｂ，２９５ｂが穿設されている。また、主枠構成部材２８０の取付凹部２８３の下部裏面側には、前記ＬＥＤ基板３２４及びランプ基板３２６の熱抜き開口３１２が４箇所に開設されている。
【００６４】
ところで、前記補強金属板２９３，２９４及び補強金具３００，３０２には、それぞれ防犯用フランジ片部２９３ｄ，２９４ｃ，３００ａ，３０２ａ（図３０と図３３に補強金属板２９３と補強金具３００のフランジ片部を図示し、他のフランジ片部は図２５参照）が後方に向かって突設形成されている。この防犯用フランジ片部２９３ｄ，２９４ｃ，３００ａ，３０２ａは、透明板保持枠４を枠基体３に対して閉じた状態で、枠基体３の前面に当接した状態となり透明板保持枠４と枠基体３との隙間からピアノ線等の不正具が挿入するのを防止するようになっている。なお、配線収納金具２９２、補強金属板２９３〜２９５、及び補強金具３００，３０２は、各々、接続状態にて主枠構成部材２８０に取付けられているため、いずれか任意の位置でアース線と接続しておけば、透明板保持枠４のいずれの場所で漏電又は静電気が生じていてもそれらを電気障害を防止することも可能である。
（９−２）ガラスの取付構造
また、主枠構成部材２８０の裏面には、図２に示すように、斜め対角線状に複数（４つ）の金属製のガラス取付支持部材３０３が成形時に一体的に設けられている。ガラス取付支持部材３０３は、その先端部に係合溝３０３ａ（図２６参照）が周設されている。このように設けられるガラス取付支持部材３０３に対して、開口２８２よりも若干大きな直径で形成されるガラス収納部材３０４に２枚のガラス板３０５を前後面より貼り合わせて構成したセットガラス板６が装着されるものであるが、その脱着は、極めて簡単に行うことができるようになっている。即ち、ガラス収納部材３０４には、その前面側に前記ガラス取付支持部材３０３を貫通する貫通穴３０７を有する取付片部３０６が一体的に形成され、該取付片部３０６の基部に止め金具３０８がビス止めされている。
【００６５】
しかして、セットガラス板６を装着するには、ガラス取付支持部材３０３に取付片部３０６の貫通穴３０７を貫通させ、その状態で止め金具３０８を回動して係合溝３０３ａに係止させることによりセットガラス板６を主枠構成部材２８０、即ち透明板保持枠４に装着することができる。一方、セットガラス板６を取り外す場合には、止め金具３０８を回動させて係合溝３０３ａとの係合を解除した後に、ガラス収納部材３０４全体をガラス取付支持部材３０３から引き抜くことによりセットガラス板６を主枠構成部材２８０、即ち透明板保持枠４から取り外すことができる。なお、セットガラス板６の脱着は、組付け完成した透明板保持枠４を枠基体３に対して開放した状態で行えることは言うまでもない。また、透明板としてガラスではなく透明な合成樹脂板等を使用したものでも良い。
（９−３）スピーカの取付構造
前述したように、主枠構成部材２８０には、スピーカ３１６を取り付けるためのスピーカ効果穴２８５が形成されているが、このスピーカ効果穴２８５に対するスピーカ３１６の取付構造について詳細に説明する。スピーカ効果穴２８５の前方からは、前記取付凹部２８６の外周に沿って形成される細溝状の差込穴３２３ａに金網状のスピーカカバー３２３が差し込まれるだけであり、スピーカ３１６自体は、主枠構成部材２８０の裏面に直接取り付けられる。即ち、図２４及び図２７に示すように、スピーカ３１６は、長方形状のスピーカ取付板３１７に固着されているが、そのスピーカ取付板３１７の一辺の隅角部が主枠構成部材２８０の裏面であって斜め４５度方向に楕円形状に形成されるスピーカ効果穴２８５の長手方向上部左右に形成される係合溝突起３１４に差し込まれると共に、スピーカ取付板３１７の他辺の隅角部に形成される取付穴３１８がスピーカ効果穴２８５の長手方向下部左右に形成される取付ボス３１５に当接されてビス３１９によって止着される。取付ボス３１５は、係合溝突起３１４よりも高く形成されているので、係合溝突起３１４と取付ボス３１５とによってスピーカ取付板３１７を取り付けた状態では、スピーカ３１６が弾球遊技機１の中央やや下部方向、即ち、座って遊技している遊技者の頭部に向いているので、スピーカ３１６から発せられるステレオ効果音を効率的に遊技者に伝達することができる。
【００６６】
また、スピーカ３１６からは短い配線３２０が延びているが、その配線３２０がコネクタ３２１を介して延長配線３２２に接続されている。この延長配線３２２は、当然のことながら前記電飾基板２９に接続される必要があるが、透明板保持枠４が常時開閉されるものであるので、延長配線３２２を透明板保持枠４の軸支側に導く必要がある。このため、主枠構成部材２８０には、図２４に示すように、その上部及び軸支側の開口２８２の縁部に沿って配線収納リブ３１１が突設形成されている。上部の配線収納リブ３１１には、配線を収納した状態で前記配線収納金具２９２で被覆止着され、軸支側の配線収納リブ３１１には、後述するランプ基板３２７を収納した後に前記延長配線３２２を収納した状態で基板カバー３３６で被覆止着する。このため、各配線収納リブ３１１は、後方へ突出するが、その突出部分が枠基体３に形成される前記干渉回避凹部７０，７１によって吸収される。なお、上部の配線収納リブ３１１には、一方のスピーカ３１６からの延長配線３２２だけでなく後述するランプ基板３２８からの配線も延長されて収納され、また、軸支側の配線収納リブ３１１には、上記の配線に加えて、他方のスピーカ３１６からの延長配線３２２とＬＥＤ基板３２４とランプ基板３２６，３２７からの配線も収納され、その末端部で配線収納リブ３１１から外側に引き出されて補強金属板２９４の挿通穴２９４ａから引き出され、その後、枠基体３の配線通し穴７７から弾球遊技機１の裏面に導かれて電飾基板２９に接続される。したがって、当然のことながら、軸支側に設けられるスピーカ３１６及びランプ基板３２６の延長配線は、開放側に設けられるスピーカ３１６及びランプ基板３２８の延長配線よりも短くなり、特に外形形状の同じスピーカ３１６を取り付ける際に、延長配線３２２の長さが目安となって誤配線することなくステレオ効果音を発生する左右のスピーカ３１６の取付作業が極めて容易に行えるという利点がある。
【００６７】
ところで、前述したように、主枠構成部材２８０の上部左右には、補強金属板２９３，２９５が取り付けられるが、この補強金属板２９３，２９５は、図２４及び図２６に示すように、主枠構成部材２８０の裏面の外周に沿って適宜間隔をおいて取付穴３１０ａを有する取付ボス３１０が突設され、複数の箇所で取付ボス３１０に代えて突子３０９ａを有する位置決めボス３０９が突設されている。したがって、補強金属板２９３，２９５を取り付けるには、補強金属板２９３，２９５に穿設された取付穴の一部を位置決めボス３０９の突子３０９ａに嵌め込み、他の取付穴を取付ボス３１０の取付穴３１０ａに一致させてビス３５１を螺着することにより、補強金属板２９３，２９５を主枠構成部材２８０の裏面に取り付けることができる。そして、その取り付けた状態では、図２６に示すように、主枠構成部材２８０の裏面と補強金属板２９５との間に補強自由空間３５０が形成される。この補強自由空間３５０は、透明板保持枠４の強度を向上させることができると共に、主枠構成部材２８０の前面に各種の装飾部材が取り付けられる場合であっても、その装飾部材の後方部が主枠構成部材２８０の裏面より突出してもそれらを被覆することができ、また、図示の実施形態のように、配線が外に飛び出さないように被覆して透明板保持枠４の裏面を整理する機能もある。なお、補強自由空間３５０は、補強金属板２９４に対応する部分にも形成されている。
【００６８】
また、補強金属板２９３，２９５を取り付けた状態では、図２５に示すように、補強金属板２９３，２９５に形成した取付穴２９３ａ，２９５ａの開口部にスピーカ３１６のほぼ全体、正確には、スピーカ取付板３１７の取付用のビス３１９が視認できるようになっているので、透明板保持枠４を枠基体３に対して開放したままの状態でビス３１９を弛めることによって簡単にスピーカ３１６を取り外すことができ、故障した場合等の交換作業を簡単に行うことができる。ただし、スピーカ３１６を主枠構成部材２８０の裏面に直接取り付けた場合には、スピーカ３１６の後方が透明板保持枠４の厚みから後方に突出した状態となるので、その突出したスピーカ３１６を透明板保持枠４の閉成時に収納するために、前述したように、枠基体３にスピーカ収納部としての干渉回避凹部７２が左右に形成されている。これによって透明板保持枠４の開閉に対してスピーカ３１６が邪魔となることはない。
【００６９】
更に、補強金属板２９３，２９５の取付穴２９３ａ，２９５ａに関連して短い配線３２０の先端に取り付けられているコネクタ３２１を掛け止める配線押え片２９３ｂ，２９５ｃが形成されており、その配線押え片２９３ｂ，２９５ｃ以後の延長配線３２２の始端部のほとんどを補強金属板２９３，２９５内部の補強自由空間３５０内に納めるようにしていることに加えて、軸支側の補強金属板２９３には、開放側からの配線であって前記配線収納金具２９２によって収納誘導された配線を係止する配線押え片２９３ｃも一体的に形成されているので、透明板保持枠４の裏面から配線のほとんどを被覆していることとなり、繁雑に開閉される透明板保持枠４の開閉動作に対して配線が邪魔となることはない。
【００７０】
なお、上記した実施形態におけるスピーカ３１６の着脱構造をさらに簡略化した実施形態として図２８に示されるものが考えられる。即ち、延長配線３２２の先端にコネクタ３５２を固着し、そのコネクタ３５２を主枠構成部材２８０に固定し、一方、スピーカ３１６のスピーカ取付板３１７にも配線３２０の先端に固着されるコネクタ３５３を固着しておく。このような構造においては、スピーカ取付板３１７の一辺を主枠構成部材２８０に形成される係合溝３５４及び規制係合溝３５５に係合させると同時にコネクタ３５３をコネクタ３５２に差し込み、完全に差し込んだ状態でスピーカ取付穴３１７に形成された取付穴３１８と主枠構成部材２８０に形成されたビス止め穴３５６とが一致し、その一致した穴３１８，３５６にビス３１９を止着することにより、簡単に着脱することができる。このような構造によれば、予め配線３２０と延長配線３２２とを接続しておく必要がなく、スピーカ３１６の脱着作業をさらに簡単にすることができる。
（９−４）照明装飾部材
主枠構成部材２８０に取付けられる各種の照明装飾部材は、円弧状の基板本体を有するＬＥＤ基板３２４と、該ＬＥＤ基板３２４の前面を被覆するＬＥＤカバー３２５と、円弧状の基板本体を有する各ランプ基板３２６，３２７，３２８と、該ランプ基板３２６，３２７，３２８の前面を個々に被覆する各ランプカバー３２９，３３０ａ，３３０ｂ，３３１ａ，３３１ｂと、ＬＥＤ基板３３２と、該ＬＥＤ基板３３２に植設された複数のＬＥＤを個々に被覆するレンズ部３３３ａを有するレンズカバー体３３３と、ＬＥＤ基板３３４と、該ＬＥＤ基板３３４に植設された複数のＬＥＤを個々に被覆するレンズ部３３５ａを有するレンズカバー体３３５と、から構成されている。ＬＥＤ基板３２４及びランプ基板３２６は、それぞれ前記取付凹部２８３に上下２段にて主枠構成部材２８０の前方からビス止め固定され、ＬＥＤ及びランプの各カバー３２５，３２９は、それぞれ両端部に形成された係合爪３２５ａ，３２９ａが取付凹部２８３側の係止穴（図示しない）に係止されるようになっている。
【００７１】
また、ランプ基板３２７，３２８は、それぞれ主枠構成部材２８０の裏面側から前記取付穴２８８ａ，２８８ｂ，２８９ａ，２８９ｂにビス止め固定される一方、各ランプカバー３３０ａ，３３０ｂ，３３１ａ，３３１ｂは、それぞれ後述の補強枠部材３３８，３４５にビス止め固定されるようになっている。ＬＥＤ基板３３２，３３４は、個々に各レンズカバー体３３３，３３５に取付け固定され、レンズカバー体３３３，３３５は、それぞれ補強枠部材３３８にビス止め固定されるようになっている。なお、ＬＥＤ基板３２４及び各ランプ基板３２６，３２７，３２８の基板表面（ＬＥＤあるいはランプの配設面）には、それぞれ白色塗料が塗られ、発光を前方（遊技者側）に反射し得るようになっている。また、各ランプ基板３２７，３２８の裏面側には、それぞれ基板カバー３３６，３３７が一体的にビス止め固定され、各基板３２７，３２８を裏面側から保護するようになっている。なお、ＬＥＤ基板３３４に設けられるＬＥＤは、例えば、入賞玉が発生したことに基づいて払出される景品玉の払出し時に表示駆動され、また、ＬＥＤ基板３３２に設けられるＬＥＤは、前記賞球タンク２０に貯留される景品玉量が不足したときに表示駆動される等のように、各種照明装飾部材は、それぞれ遊技内容に応じて前記電飾基板２９の制御に基づいて照明装飾されるものである。
（９−５）補強枠部材（カバー部材）
次に、上記した主枠構成部材２８０に取付けられるカバー部材としての補強枠部材３３８，３４５について説明する。補強枠部材３３８，３４５は、相互にほぼ左右対称形状の合成樹脂板からなり、外周面にはメッキ処理が施されている。補強枠部材３３８は、図２２に示すように、右側端部が前記主枠構成部材２８０の開口２８２に沿った円弧状に形成され、その近傍には前記ランプカバー３３０ａ，３３０ｂを取付けるための各取付穴３４０ａ，３４０ｂが円弧状にて穿設されている。また、補強枠部材３３８の上側には、前記スピーカカバー３２３を取付けるための取付穴３４１と、レンズカバー体３３３，３３５の各レンズ部３３３ａ，３３５ａを貫通するための複数の貫通穴３４２と、が穿設されている。なお、補強枠部材３３８の左側上端には、主枠構成部材２８０と同様に、前記上ヒンジ部材１８０との干渉回避用の切欠部３４３が形成されている。
【００７２】
一方、補強枠部材３４５は、左側端部が前記主枠構成部材２８０の開口２８２に沿った円弧状に形成され、その近傍には前記ランプカバー３３１ａ，３３１ｂを取付けるための各取付穴３４７ａ，３４７ｂが円弧状にて穿設されている。また、補強枠部材３４５の上側には、前記スピーカカバー３２３を取付けるための取付穴３４８が穿設されている。そして、上記のような補強枠部材３３８，３４５は、それぞれ裏面側に突設されたビス止めボス３３９，３４６を介して主枠構成部材２８０に取付け固定されるようになっている。
（９−６）透明板保持枠の開閉構造
以上、説明した主枠構成部材２８０に補強枠部材３３８，３４５等を組合せて構成される透明板保持枠４は、図１及び図２に示すように、枠基体３の横幅寸法とほぼ同じ寸法を有し、このため、遊技者の正面からの視野においては、枠基体３の上方部で枠基体３を視認することはできず透明板保持枠４が視認されることとなる。そして、透明板保持枠４は、枠基体３に対して開閉自在に設けられることは、前述した通りであり、透明板保持枠４は、上端部をヒンジピン２９６と上ヒンジ部材１８０の係合穴１８０ａとの軸受状態で、下端部をヒンジ金具２９９の係合穴２９９ａと中ヒンジ部材１８１のヒンジピン１８２との軸受状態でそれぞれ開閉自在に設けられるものであるが、下端部のヒンジ金具２９９の係合穴２９９ａの外側には、図示しない係合突部が突設され、一方、中ヒンジ部材１８１の垂直辺部の外側にも図示しない係合部が立設形成されている。しかして、透明板保持枠４を開放したときには、ヒンジ金具２９９の係合突部が中ヒンジ部材１８１の係合部に当接してそれ以上開放できないようになっており、これにより透明板保持枠４を勢いよく開放してもセットガラス板６が破損したり、あるいは透明板保持枠４の表面に設けられる各種構成部材が破損したりすることはない。
（９−７）透明板保持枠の施錠構造
透明板保持枠４は、上記したように枠基体３に対して開閉自在に設けられるが、通常の使用時においては、これを閉じておかなければならないので、当然のことながら開放側を施錠する必要がある。このため、図２及び図３に示すように、枠基体３の開放側裏面に施錠装置１０が取付けられている。なお、施錠装置１０は、透明板保持枠４の施錠ばかりでなく、枠基体３の外枠２に対する施錠をも行うことができる、いわゆるＷ錠となっている。そこで、この施錠装置１０について図３及び図３３を参照して説明する。図３３は、図１のＣ−Ｃ線で切断した断面図である。図において、施錠装置１０は、断面Ｌ字型に形成される取付基板３７０に集約して形成され、取付基板３７０の一方辺が枠基体３への取付面をなしている。該取付面の下方寄りには、シリンダー錠３７１が取付けられている。
【００７３】
取付基板３７０の他方辺には、取付基板３７０に対して上下動可能なように枠基体用上下杆３７９が取付けられており、該枠基体用上下杆３７９の上端部及び下端部には、それぞれ錠フック３７２ａ，３７２ｂが設けられている。錠フック３７２ａ，３７２ｂの先端は、錠フック３７２ａ，３７２ｂに向けて傾斜する誘導傾斜部３７３となっているが、これは、枠基体３を押して閉じるときに外枠２の内側上下に固定される係止金具１７ａ，１７ｂに当接案内されながら最終的に錠フック３７２ａ，３７２ｂと係止金具１７ａ，１７ｂとを係合させるためのものである。なお、下方の誘導傾斜部３７３には、側方に突出する操作部３７４が突設されており、手の操作で枠基体用上下杆３７９を上昇せしめるときに使用するものである。また、枠基体用上下杆３７９は、取付基板３７０との間に張架されたスプリング（図示しない）により常時下方に付勢されている。
【００７４】
一方、取付基板３７０の一方辺（取付面）にも、前記枠基体用上下杆３７９と同様の透明扉板用上下杆３７８が上下動可能に取付けられている。該透明扉板用上下杆３７８は、スプリング（図示しない）により常時上方に付勢されており、その中央部には、手動操作用の操作杆３７５が突設されている。また、取付面には、その上端部と中央よりやや下方に長方形状の連通口３７６ａ，３７６ｂが開設されており、該連通口３７６ａ，３７６ｂに対応する透明扉板用上下杆３７８の部位には、図示しない係合開口が開設されている。なお、連通口３７６ａ，３７６ｂ及びこれに対応する係合開口には、透明板保持枠４の開放側に設けられる錠フック３０１ａ，３０１ｂが貫通するものである。
【００７５】
上記のように構成される施錠装置１０の作用について簡単に説明する。まず、外枠２に対する枠基体３の解錠及び施錠について説明すると、遊技場の店員がシリンダー錠３７１に図示しない所定の鍵を差し込んで時計回転方向に回すと、スプリングの付勢力に抗して枠基体用上下杆３７９が上昇され、これに伴って錠フック３７２ａ，３７２ｂも上昇される。このため、錠フック３７２ａ，３７２ｂと外枠２の係止金具１７ａ，１７ｂとが係合位置関係となっていないので、その状態でシリンダー錠３７１に差し込んだままの鍵を引っ張ることにより枠基体３全体を回動させて開放することができる。一方、開放した枠基体３を閉じるときには、そのまま枠基体３を押し込むことにより錠フック３７２ａ，３７２ｂの誘導傾斜部３７３と係止金具１７ａ，１７ｂとの当接により枠基体用上下杆３７９がスプリングの付勢力に抗して上昇し、遂には、錠フック３７２ａ，３７２ｂが係止金具１７ａ，１７ｂと係合する位置でスプリングの付勢力により枠基体用上下杆３７９が下降して錠フック３７２ａ，３７２ｂと係止金具１７ａ，１７ｂとが完全に施錠された状態となる。
【００７６】
次に、枠基体３に対する透明板保持枠４の解錠及び施錠について説明すると、遊技場の店員がシリンダー錠３７１に図示しない所定の鍵を差し込んで反時計回転方向に回すと、スプリングの付勢力に抗して透明扉板用上下杆３７８が下降する。このため、透明扉板用上下杆３７８の係合開口と錠フック３０１ａ，３０１ｂとの係合が解除されて透明板保持枠４が開放される。一方、開放した透明板保持枠４を閉じるときには、そのまま透明板保持枠４を押し込むことにより錠フック３０１ａ，３０１ｂが枠基体３に形成されたフック連通穴６３ａ，６３ｂを貫通して施錠装置１０の連通口３７６ａ，３７６ｂに侵入し、上昇している透明扉板用上下杆３７８の係合開口の一部に侵入する。その状態でさらに押し込むことにより錠フック３０１ａ，３０１ｂの先端下辺の傾斜部と係合開口との当接により透明扉板用上下杆３７８がスプリングの付勢力に抗して上昇し、遂には、係合開口が錠フック３０１ａ，３０１ｂと係合する位置でスプリングの付勢力により透明扉板用上下杆３７８が上昇して錠フック３０１ａ，３０１ｂと係合開口とが完全に施錠された状態となる。なお、透明板保持枠４を解錠する場合には、枠基体３を開放した状態で操作杆３７５を押し下げることによっても行うことができる。
（９−８）透明板保持枠の特徴
以上、透明板保持枠４を構成する部材の詳細な説明をしてきたが、これらの構成部材を組付けて完成される透明板保持枠４は、前述したように枠基体３の横幅寸法と同じ横幅寸法を有し且つ透明板保持枠４の開口２８２を遊技盤５の遊技領域の外周形状に沿った形状として構成したので、図１に示すように、弾球遊技機１の正面上部は、透明板保持枠４と該透明板保持枠４のセットガラス板６を介して視認し得る遊技盤５の遊技領域だけであり、従来の画一した正面形状と大幅に異なる印象を遊技者に与えることができる。
【００７７】
また、透明板保持枠４の開口２８２の形状を遊技領域の形状と同一として開口２８２に沿って照明装飾部材としてのランプカバー３２９，３３０ａ，３３０ｂ，３３１ａ，３３１ｂを透明板保持枠４に設けることにより、従来多くの遊技盤で誘導レールの外周に沿って設けられるレール飾りランプを遊技盤に設ける必要がなくなり、遊技盤の交換毎にそれらも同時に交換しなければならないという不経済をなくすことができる。
【００７８】
なお、本実施形態の場合、透明板保持枠４における正面構造において主枠構成部材２８０の左右前面にカバー部材である補強枠部材３３８，３４５が装着されているので、透明板保持枠４は、基本的に二重基板の構造を持つことになる。このため、透明板保持枠４の強度が向上でき、タバコやライター等の発熱具による不正の穴空け行為を防止することができる。また、本実施形態では、枠基体３に開閉自在に設けた上皿７の左右両側には各カバー部材２０２，２０５，２０７が、枠基体３に固設した下皿８の側方にはカバー部材１３４が、また外枠２の左右両側にはカバー部材１９が、それぞれ装着されているので、透明板保持枠４と同様に弾球遊技機１の前面側に配置される構成部材の強度が向上でき、ひいては弾球遊技機１全体における穴空けの不正行為を防止することができる。また、穴空けの不正行為を防止するカバー部材の装着部位は、本実施形態記載の部位に限定するものではなく、弾球遊技機の構成に応じて適宜変更することも可能である。なお、以上のように穴空けの不正行為を防止する各カバー部材は、それぞれ弾球遊技機１の左右の前面側に装着されることで、最終的には枠基体３、上皿７、あるいは透明板保持枠４の開閉機構（ヒンジや施錠装置等）に対する不正を防止するようになっている。また、カバー部材は、各々、合成樹脂によって所望の形状に形成されると共に、外周面にはメッキ処理が施されているため、弾球遊技機１の前面は、上端部から下端部にかけて統一的且つ近未来的な意匠をなし、弾球遊技機１全体の視覚的な興趣の向上を可能にしている。
【００７９】
また、一般的に弾球遊技機１に臨設した玉貸機が設置されるが、その場合には、図２９に示すように、玉貸機２６０の貸玉排出口３６３が弾球遊技機１の前面よりも大幅（約３０ｍｍ）に突出している。このため、透明板保持枠４を開閉する際に、軸支側の透明板保持枠４の前面の装飾部材を突出させると、点検時等にその突出した装飾部材と貸玉排出口３６３が十分な開度となっていないにも拘らず当接してそれ以上開放できない事態も考えられるので、本実施形態においては、貸玉排出口３６３に対応する位置の透明板保持枠４の装飾部材のうち最も突出する装飾部材（この場合には、ランプカバー３３０ｂ）の突出位置までの端辺からの寸法が貸玉排出口３６３の突出寸法よりも大きくなるように設計されている。このように設計されることにより、確実に９０度以上の開度をもって透明板保持枠４を開放することができる。なお、図中、符号３６１は稼働中ランプであり、符号３６２は硬貨投入口である。
（１０）固定レバー
次に、枠基体３の固定レバー取付用穴７４に取り付けられる固定レバー２７０の構造及びその取付構造について図３０及び図３１を参照して説明する。図３０は、図１のＡ−Ａ線で切断した固定レバー取付用穴７４部分の断面図であり、図３１は、固定レバー２７０の取付順序を示す断面図である。図において、固定レバー２７０は、遊技盤収納部４１に収納されている遊技盤５の裏面を押圧する押圧部２７０ａと手によって回動操作せしめるための操作レバー部２７０ｂとがほぼ直交する方向で軸筒部２７０ｃに突設され、その軸筒部２７０ｃにワッシャー２７６を介して円柱状のレバー軸２７１が挿通されて固定レバー２７０がレバー軸２７１に対して回動自在に軸支される。レバー軸２７１には、上記固定レバー２７０が挿通されると共に、該固定レバー２７０を下方に向けて付勢する弾性部材としてのスプリング２７２が介装され、スプリング２７２が介装された先端部にナット２７３が螺着されてスプリング２７２及び固定レバー２７０が抜けないようになっている。また、レバー軸２７１の後端には、レバー軸２７１から外側に突出するように板状の係合端片２７４が固着されている。なお、弾性部材としてスプリング２７２に限らず、ゴムや合成樹脂、あるいは各種形状のバネであっても良い。
【００８０】
一方、固定レバー取付用穴７４の穴形状は、図３０（Ｂ）に示すように、前記係合端片２７４を含むレバー軸２７１を貫通支持する形状で穿設されると共に、その後端面にレバー軸２７１を挿通して回転したときに係合端片２７４のレバー軸２７１から外側に突出する部分を挟持係合する高低差のある係合突起７４ａ，７４ｂが形成されている。つまり、係合突起７４ａ，７４ｂによってはさまれる部分が係合凹部７４ｃとなっている。
【００８１】
上記のように構成される固定レバー取付用穴７４と固定レバー２７０とにおいて、固定レバー２７０を固定レバー取付用穴７４に取り付けるには、図３１に示すように、まず、（Ａ）に示すように、ロボットのアタッチメントである装着工具２７５でナット２７３部分を挟持して、レバー軸２７１及び係合端片２７４を固定レバー取付用穴７４の挿通形状に合わせて挿通する。なお、この装着工具２７５は、手動による工具でも良い。次いで、（Ｂ）に示すように、スプリング２７２を縮ませる程の力でレバー軸２７１を押圧すると、係合端片２７４が固定レバー取付用穴７４の後端面に突出した状態となり、しかも、低い方の係合突起７４ｂよりも突出する一方、高い方の係合突起７４ａより突出しない状態となっている。この状態では、一方の回転方向にしかレバー軸２７１を回転させることができない。しかして、（Ｃ）に示すように、その押圧した状態のままレバー軸２７１の回転が許容される方向に装着工具２７５を回転できない位置まで回転し（図示の場合には、９０度）、その後、（Ｄ）に示すように、装着工具２７５のナット２７３部分の挟持状態を解放することにより、スプリング２７２の付勢力で固定レバー２７０が取付用穴７４に装着された状態となる。
【００８２】
固定レバー２７０が固定レバー取付用穴７４に取り付けられた状態においては、操作レバー部２７０ｂを操作することにより、押圧部２７０ａが遊技盤５の裏面を押圧する状態と押圧しない状態とに変更することができる。また、ナット２７３の回動によりスプリング２７２による固定レバー２７０の遊技盤５への押圧力を調節することができる。
【００８３】
本実施形態においては、上記のように構成することにより、レバー軸２７１が設けられる枠基体３には、固定レバー取付用穴７４を形成するだけでよいため、従来のようなインサート成型に比較して成型時に手間がかかることがない。また、従来は、製造ライン等での組み立て時にワッシャー，固定レバー，スプリングを通した後にナットを締めるので作業時間がかかっていたが、本実施形態では、予め固定レバー２７０やスプリング２７２等を組み付けたレバー軸２７１を固定レバー取付用穴７４に貫通させて一方向に回転せしめて係合端片２７４を係合突起７４ａ，７４ｂに挟持係合させるだけの簡単な作業で正確に取り付けることができる。
（１１）カードユニット
最後に、上記した弾球遊技機１に隣接されるカードユニット１３の構成について図１を参照して説明する。前述したように、前記上皿７には、その上面にカードユニット１３を介して遊技玉を借り受ける際に操作する操作部が設けられている。しかして、カードユニット１３は、使用可能状態であるか否かを表示する稼働表示器３８０と、カード内に記録された残額情報に端数（１００円未満の数）が存在する場合にその端数を前記残高表示器２６０に表示させるための端数表示スイッチ３８１と、当該カードユニット１３がいずれの側の弾球遊技機１に対応しているか否かを表示する連結台方向表示器３８２と、カードがカードユニット１３内に投入中であることを表示するカード挿入中表示器３８３と、記録媒体としての磁気カードを挿入するカード挿入・排出口３８４とが設けられている。そして、このように構成されるカードユニット１３は、独自の制御回路によって制御されるものであるが、上皿７に設けられる前記自動玉貸選択スイッチ２５７，玉貸スイッチ２５８、返却スイッチ２５９、及び残高表示器２６０や、前記賞球玉貸制御基板２７とを接続する必要があるため弾球遊技機１の裏面に設けられる機構板１２には、カードユニット中継基板２８（図４参照）が設けられており、該カードユニット中継基板２８にカードユニット１３のコネクタから延設される配線が接続されている。なお、カードユニット１３を弾球遊技機１に内蔵しても良い。
【００８４】
以上、実施形態に係る弾球遊技機１の構成、作用について図面を参照して説明してきたが、上記説明中で特に引用しなかった図３２乃至図３４は、図３２は、図１のＢ−Ｂ線で切断した断面図であり、図３３は、図１のＣ−Ｃ線で切断した断面図であり、図３４は、図１のＤ−Ｄ線で切断した断面図である。
【００８５】
【発明の効果】
以上説明したところから明らかなように、本発明においては、レバー軸には、一端に該レバー軸から外側に突出するように板状の係合端片を形成する一方、他端側に固定レバーを一端方向に向けて付勢する弾性部材を介装し、枠基体には、係合端片を含むレバー軸を貫通支持する固定レバー取付用穴を形成すると共に、取付用穴の表面側の周縁に係合端片が係合する係合凹部を形成し、固定レバー及び弾性部材を予め組み付けたレバー軸の一端を、枠基体の裏面側から取付用穴に貫通させて弾性部材の付勢力に抗した状態で回転させ、弾性部材の付勢力に抗した状態を解除することにより係合端片を取付用穴の係合凹部に押圧させて係合可能としたことを特徴とするものである。このように構成することにより、レバー軸が設けられる枠基体には、固定レバー取付用穴を形成するだけでよいため、成型時に手間がかかることがなく、一方、レバー軸を枠基体に装着するには、予め固定レバーが装着されたレバー軸を固定レバー取付用穴に貫通させて回転せしめて係合端片を係合凹部に係合させるだけの簡単な作業で正確に取り付けることができる。
【図面の簡単な説明】
【図１】  実施形態に係る弾球遊技機の正面図である。
【図２】  枠基体及び透明板保持枠を開放した状態の弾球遊技機の斜視図である。
【図３】  枠基体の前面側に取り付けられる各種の構成要素を分離して示す斜視図である。
【図４】  枠基体の裏面側の構成を示す背面図である。
【図５】  ターミナルボックス基板と電飾基板の各配線状態の概略を示す概略回路図である。
【図６】  メイン基板の賞球関係の配線を示した概略回路図である。
【図７】  賞球玉貸制御基板とタッチ制御回路基板の各配線状態の概略を示す概略回路図である。
【図８】  枠基体の正面から見た斜視図である。
【図９】  枠基体の正面図である。
【図１０】  枠基体の裏面から見た斜視図である。
【図１１】  枠基体の背面図である。
【図１２】  枠基体に一部の部品を装着した状態の背面図である。
【図１３】  検出器取付穴への検出器の取付構造を示す斜視図である。
【図１４】  枠基体の平板部と側方カバー部材，下皿及び操作ハンドルセットとの関係を示す斜視図である。
【図１５】  枠基体の平板部と側方カバー部材の取り付け状態を示す斜視図と断面図（図１のＥ−Ｅ線で切断した断面図）である。
【図１６】  下皿の分解斜視図である。
【図１７】  図１のＧ−Ｇ線で切断した灰皿部分の断面図である。
【図１８】  灰皿の灰を取り出す動作を示す断面図である。
【図１９】  上皿の分解斜視図である。
【図２０】  上皿の主要構成部材である皿部材の分解斜視図である。
【図２１】  図１のＦ−Ｆ線で切断した上皿の断面図である。
【図２２】  透明板保持枠の正面から見た分解斜視図である。
【図２３】  透明板保持枠の正面図である。
【図２４】  透明板保持枠の背面図である。
【図２５】  一部の部品を取り外した状態の透明板保持枠の背面図である。
【図２６】  図２５のＨ−Ｈ線で切断した断面図である。
【図２７】  スピーカの取付状態を示す斜視図である。
【図２８】  スピーカの異なる取付状態を示す側面図である。
【図２９】  透明板保持枠と隣接して設けられる玉貸機との関係を示す説明図である。
【図３０】  図１のＡ−Ａ線で切断した固定レバー取付用穴部分の断面図である。
【図３１】  固定レバーの取付順序を示す断面図である。
【図３２】  図１のＢ−Ｂ線で切断した断面図である。
【図３３】  図１のＣ−Ｃ線で切断した断面図である。
【図３４】  図１のＤ−Ｄ線で切断した断面図である。
【符号の説明】
１  弾球遊技機
２  外枠
３  枠基体
４  透明板保持枠
５  遊技盤
６  セットガラス板
７  上皿
８  下皿
９  操作ハンドルセット
１０  施錠装置
１１  発射装置
１２  機構板
１３  カードユニット
４１  遊技盤収納部
７２  干渉回避凹部（スピーカ収納部）
７４  固定レバー取付用穴
７４ａ，７４ｂ  係合突起
７４ｃ  係合凹部
２７０  固定レバー
２７０ａ  押圧部
２７０ｂ  操作レバー部
２７０ｃ  軸筒部
２７１  レバー軸
２７２  スプリング
２７３  ナット
２７４  係合端片
２７５  装着工具
２９２  配線収納金具（配線処理部）
２９３〜２９５  補強金属板
３０５  ガラス板（透明板）
３０９  位置決めボス
３０９ａ  突子
３１０  取付ボス
３１０ａ  取付穴
３１１  配線収納リブ（配線処理部）
３１４  係合溝突起
３１５  取付ボス
３１６  スピーカ
３１７  スピーカ取付板
３１８  取付穴
３１９  ビス
３２０  配線
３２１  コネクタ
３２２  延長配線
３２３  スピーカカバー（スピーカ装飾部材）
３２４  ＬＥＤ基板
３２５  ＬＥＤカバー（照明装飾部材）
３２６〜３２８  ランプ基板
３２９  ランプカバー（照明装飾部材）
３３０ａ，３３０ｂ，３３１ａ，３３１ｂ  ランプカバー（照明装飾部材）
３３６，３３７  基板カバー（配線処理部）
３５０  補強自由空間
【図１】
0004010575.tif 000002
【図２】
0004010575.tif 000003
【図３】
0004010575.tif 000004
【図４】
0004010575.tif 000005
【図５】
0004010575.tif 000006
【図６】
0004010575.tif 000007
【図７】
0004010575.tif 000008
【図８】
0004010575.tif 000009
【図９】
0004010575.tif 000010
【図１０】
0004010575.tif 000011
【図１１】
0004010575.tif 000012
【図１２】
0004010575.tif 000013
【図１３】
0004010575.tif 000014
【図１４】
0004010575.tif 000015
【図１５】
0004010575.tif 000016
【図１６】
0004010575.tif 000017
【図１７】
0004010575.tif 000018
【図１８】
0004010575.tif 000019
【図１９】
0004010575.tif 000020
【図２０】
0004010575.tif 000021
【図２１】
0004010575.tif 000022
【図２２】
0004010575.tif 000023
【図２３】
0004010575.tif 000024
【図２４】
0004010575.tif 000025
【図２５】
0004010575.tif 000026
【図２６】
0004010575.tif 000027
【図２７】
0004010575.tif 000028
【図２８】
0004010575.tif 000029
【図２９】
0004010575.tif 000030
【図３０】
0004010575.tif 000031
【図３１】
0004010575.tif 000032
【図３２】
0004010575.tif 000033
【図３３】
0004010575.tif 000034
【図３４】
0004010575.tif 000035